(57)【要約】      （修正有）【課題】受信開始から印刷動作開始までの進行状況を視覚的にわかりやすくしたカメラダイレクト対応の無線装置を提供する。【解決手段】無線機能を有するデジタルデジタルカメラから受信する画像情報の総情報量に対する受信済み情報量を演算する演算手段と、演算手段の演算結果に応じて表示の態様を変更できる表示手段とを備え、通信モードの進行状況に応じて表示の態様を変更できる表示手段を備える。【選択図】図１
2007049611.tif 000002
【特許請求の範囲】
【請求項１】
無線機能を有するデジタルデジタルカメラから送信された画像情報を受信することが可能な受信手段と、前記受信手段によって受信した画像情報に基づき前記画像情報の総情報量に対する受信済み情報量を演算する演算手段と、前記演算手段の演算結果に応じて表示の態様を変更できる表示手段とを備えたこと特徴とする無線装置。
【請求項２】
前記表示手段は、光学的表示手段からなり、前記光学的表示手段の点灯と消灯の間隔、若しくは点灯と消灯の周期、さらには点灯の強度を変えることによって前記表示手段の表示の態様を変更すること特徴とする請求項１記載の無線装置。
【請求項３】
前記表示手段は、音源手段からなり、前記音源手段の発音と消音の間隔、若しくは発音と消音の周期、さらには発音の強度を変えることによって前記表示手段の表示の態様を変更すること特徴とする請求項１記載の無線装置。
【請求項４】
無線機能を有するデジタルデジタルカメラから送信された画像情報を受信することが可能な受信手段と、前記受信手段によって受信した前記デジタルカメラと前記無線装置との通信モード、及び前記通信モードの進行状況に応じて表示の態様を変更できる表示手段を備えたこと特徴とする無線装置。
【請求項５】
前記表示手段は、光学的表示手段からなり、前記光学的表示手段の点灯と消灯の間隔、若しくは点灯と消灯の周期、さらには点灯の強度を変えることによって前記表示手段の表示の態様を変更すること特徴とする請求項４記載の無線装置。
【請求項６】
前記表示手段は、音源手段からなり、前記音源手段の発音と消音の間隔、若しくは発音と消音の周期、さらには発音の強度を変えることによって前記表示手段の表示の態様を変更すること特徴とする請求項４記載の無線装置。
【発明の詳細な説明】
【技術分野】
【０００１】
本発明は、無線装置に関し、特にプリンタに装着し、デジタルカメラから送信された画像データを受信するカメラダイレクト対応の無線装置において、その受信状況を使用者にわかり易く知らしめる表示方法を有した無線装置に関する。
【背景技術】
【０００２】
近年、電子機器は急速に進化し、機器の高性能化、複合化が進められている。
【０００３】
その一例として、デジタルカメラで撮影した画像をプリンタで印刷する場合、従来は撮影した画像を一度パーソナルコンピュータ内に取り込み、その後パーソナルコンピュータに接続されているプリンタから印刷していたが、最近では上記手順を簡略化した方法として、パーソナルコンピュータを介さずに、撮影した画像を印刷できるようにしたものがある。
【０００４】
例えば、デジタルカメラで撮影した画像をデジタルカメラ内に装着されたコンパクトフラッシュ(登録商標)等の携帯型記憶媒体に記憶し、その携帯型記憶媒体をデジタルカメラから取り出し、プリンタに設けられた携帯型記憶媒体用挿入装置に装着することで、パーソナルコンピュータを介さずに画像をプリンタに取り込み、印刷を可能にしたものがある。
【０００５】
また、デジタルカメラとプリンタを専用または汎用のケーブルを用いて直接接続し、そのケーブルを介してデジタルカメラ内の記憶媒体に記憶された画像をプリンタに直接取り込むことで、デジタルカメラ内の画像を印刷できるようにしたものがある。
【０００６】
さらに、デジタルカメラとプリンタを無線による接続、例えばＩｒＤＡ規格やＢｌｕｅｔｏｏｔｈ規格、さらにはＩＥＥＥ８０２．１１規格等を利用してデジタルカメラ内の記憶媒体に記憶された画像をプリンタに送信することで、デジタルカメラで撮影した画像を印刷できるようにしたものがある。この場合、デジタルカメラとプリンタの双方に無線機能を搭載していることが前提となるが、カメラダイレクトに対応したプリンタの場合、専用インターフェースに無線装置を装着することで、無線機能のないプリンタに無線機能を付加することが可能となる。
【０００７】
ところで、プリンタ、若しくはプリンタに装着された無線装置の現在の状態を視覚的に知らしめる手段としては、ＬＥＤまたはＬＣＤ等の表示手段を用いるのが一般的であり、この表示手段によってプリンタ、若しくはプリンタに装着された無線装置が、現在、待機状態なのか、または、データを受信中なのか、若しくは受信したデータに基づき印刷を実行中なのか使用者に知らしめている。
【０００８】
このような従来技術として、特許文献１に開示されているものがあり、この従来技術では、受信した画像データの内容から印刷モードを識別し、その結果に従い、印刷モードの別に応じて表示手段の表示形式を変更している。
【０００９】
これによって、印刷モードに応じて処理状況を明確に使用者に知らしめることが可能となり、従来受信開始から印刷動作開始までの長い時間ただ受信中であることしかわからなかった問題点が解決され、プリンタが正しく動作しているか否かの判断が可能となった。
【特許文献１】特開２００１−１０５６９２号公報
【発明の開示】
【発明が解決しようとする課題】
【００１０】
しかしながら、従来技術として取り上げた特許文献１では、印刷モードの識別は出来るものの、受信開始から印刷動作開始までの進行状況を把握することが出来ないという問題点があった。
【００１１】
そこで本発明は、上記問題点を解決するためになされたものであって、無線装置において、受信開始から印刷動作開始までの進行状況を使用者に知らしめるために、受信開始から印刷動作開始までの間、送信された画像データの総情報量に対する受信済み情報量に応じて表示手段の表示の態様を変えることによりその進行状況を視覚的にわかりやすくしたカメラダイレクト対応の無線装置を提供することを目的とする。
【００１２】
また、無線装置において、現在の通信モード、及び通信モードの進行状況を使用者に知らしめるために、現在の通信モード、及び通信モードの進行状況に応じて表示手段の表示の態様を変えることにより、その進行状況を視覚的にわかりやすくしたカメラダイレクト対応の無線装置を提供することを目的とする。
【課題を解決するための手段】
【００１３】
請求項１に係る本発明の無線装置は、無線機能を有するデジタルデジタルカメラから送信された画像情報を受信することが可能な受信手段と、受信手段によって受信した画像情報に基づき画像情報の総情報量に対する受信済み情報量を演算する演算手段と、演算手段の演算結果に応じて表示の態様を変更できる表示手段とを備える、というものである。
【００１４】
請求項２に係る本発明の無線装置は、請求項１に係る本発明の無線装置において、表示手段が光学的表示手段からなり、光学的表示手段の点灯と消灯の間隔、若しくは点灯と消灯の周期、さらには点灯の強度を変えることによって表示手段の表示の態様を変更する、というものである。
【００１５】
請求項３に係る本発明の無線装置は、請求項１に係る本発明の無線装置において、表示手段が音源手段からなり、音源手段の発音と消音の間隔、若しくは発音と消音の周期、さらには発音の強度を変えることによって表示手段の表示の態様を変更する、というものである。
【００１６】
請求項４に係る本発明の無線装置は、無線機能を有するデジタルデジタルカメラから送信された画像情報を受信することが可能な受信手段と、受信手段によって受信したデジタルカメラと無線装置との通信モード、及び通信モードの進行状況に応じて表示の態様を変更できる表示手段を備える、というものである。
【００１７】
請求項５に係る本発明の無線装置は、請求項４に係る本発明の無線装置において、表示手段が光学的表示手段からなり、光学的表示手段の点灯と消灯の間隔、若しくは点灯と消灯の周期、さらには点灯の強度を変えることによって表示手段の表示の態様を変更する、というものである。
【００１８】
請求項６に係る本発明の無線装置は、請求項４に係る本発明の無線装置において、表示手段が音源手段からなり、音源手段の発音と消音の間隔、若しくは発音と消音の周期、さらには発音の強度を変えることによって表示手段の表示の態様を変更する、というものである。
【発明の効果】
【００１９】
本発明によれば、第１実施例では、現在の受信済みデータ量に応じて無線装置に設けた表示手段の表示の態様を変化させることにより、使用者に現在の受信状況を報知することが可能となる。
【００２０】
これにより、受信開始から印刷動作開始までの進行状況を使用者が知ることができるようになる。
【００２１】
また、第２実施例では、デジタルカメラと無線装置との通信モードの進行状況によって、無線装置に設けた表示手段の表示の態様を変化させることにより、使用者に現在の通信モードの動作状況を報知することが可能となる。
【００２２】
これにより、現在の通信モードの進行状況を使用者が知ることができるようになる。
【発明を実施するための最良の形態】
【００２３】
以下、本発明の実施の形態を図を用いて説明する。
【実施例】
【００２４】
［第１実施例］
図１は、本発明に係る無線装置を、無線機能のないプリンタに装着した場合の概略構成図である。
【００２５】
図１において、１０１は第１実施例に係る無線装置、１０２は無線機能のないプリンタ、１０３は無線機能を有するデジタルカメラである。
【００２６】
尚、図中雷マークは無線機能を模式的に表すために用いたものであり、無線通信、例えばＩｒＤＡ規格やＢｌｕｅｔｏｏｔｈ規格、さらにはＩＥＥＥ８０２．１１規格等の電波を意味している。
【００２７】
図１のような構成によって、使用者はデジタルカメラ１０３で撮影した画像のデータを、無線通信を利用してプリンタ１０２に送信し、所望の画像を印刷することができる。
【００２８】
次に、図２に無線装置１０１の断面図を示す。
【００２９】
図２において、２０２は基板実装タイプのチップアンテナ、２０３はアンテナ２０２が実装されるアンテナ用基板、２０４は基板実装タイプの発光素子であるチップ型ＬＥＤ、２０５は光学材料として一般的に使用されているアクリル樹脂又はポリカーボネート樹脂からなる導光部材である。２０６はＬＥＤ２０４が実装される回路基板である。
【００３０】
また、２０９、２１０は上記アンテナ用基板２０３、導光部材２０５、回路基板２０６等を収納する上ケース、及び下ケース、２１１は、プリンタ１０２に設けられたカメラダイレクト用インターフェースに接続するためのＵＳＢコネクタである。
【００３１】
さらに、２１２は無線装置１０１を図中矢印に示す方向の回転角度を調整するためのヒンジである。
【００３２】
尚、説明を簡略化するために、アンテナ用基板２０３とＵＳＢコネクタ２１１を接続するハーネス、またはフレキシブルプリント基板、及びそれらのコネクタ等電気部品は、不図示とした。
【００３３】
次に、図３に示したフローチャートを参照して第１実施例に係る無線装置１０１における画像データの受信処理について説明する。
【００３４】
尚、本実施例において、プリンタ１０２は本体電源投入後の初期化動作を終了し、データの受信待ち状態になっていることを前提とする。
【００３５】
まず、ステップＳ３０２ではデジタルカメラ１０３から無線装置１０１に対し画像データを送信する旨の通信プロトコルが要求されたかを判定する。
【００３６】
要求された場合には、ステップＳ３０３に進み無線装置１０１に設けたＬＥＤ２０４を図５（ａ）で示したタイミングチャート５１で発光させ、使用者にデジタルカメラ１０３から画像データが送信されて来たこと、若しくは無線装置１０１が画像データを受信する準備が出来たことを知らせる。
【００３７】
要求されていない場合には、ステップＳ３０２の判定を所定時間後に再度行う。
【００３８】
ステップＳ３０４では印刷要求のあった画像データのヘッダー情報を取得し、ステップＳ３０５ではステップＳ３０４で取得したヘッダー情報に格納された画像の総データ量をＡとして無線装置１０１内のＲＡＭに予め確保してあったバッファ領域に格納する。
【００３９】
以上の処理を行った後にステップＳ３０６に進み、引き続き圧縮された画像データを受信し、ステップＳ３０５と同様に無線装置１０１内のＲＡＭに予め確保してあった所定のバッファ領域に順次格納していく。
【００４０】
ステップＳ３０７では現在の受信済み画像データ量をＢとして格納し、ステップＳ３０８では総データ量Ａに対する現在の受信済み画像データ量Ｂの比率Ｂ／Ａを演算後、この演算結果が所定量α１を超えているか否かの判定を行う。
【００４１】
上記判定の結果、演算結果Ｂ／Ａが所定量α１を超えている場合にはステップＳ３１０に進み、更に演算結果Ｂ／Ａが所定量α２を超えているか否かの判定を行う。
【００４２】
一方、上記判定の結果、演算結果Ｂ／Ａが所定量α１を超えていない場合にはステップＳ３０９に進み、無線装置１０１に設けたＬＥＤ２０４を図５（ｂ）で示したタイミングチャート５２で発光させ、ステップＳ３０６へ戻る。
【００４３】
ステップＳ３１０の判定の結果、総データ量Ａに対する現在の受信済み画像データ量Ｂの比率Ｂ／Ａが所定量α２を超えている場合には、ステップＳ３１２に進み、全ての画像データを受信したか否かの判定を行う。
【００４４】
ステップＳ３１０の判定の結果、演算結果Ｂ／Ａが所定量α２を超えていない場合にはステップＳ３１１に進み、無線装置１０１に設けたＬＥＤ２０４を図５（ｃ）で示したタイミングチャート５３で発光させ、ステップＳ３０６へ戻る。
【００４５】
ステップＳ３１２の判定の結果、演算結果Ｂ／Ａ＝１となり全ての画像データを受信した場合、ステップＳ３１４に進み、無線装置１０１に設けたＬＥＤ２０４を図５（ｅ）で示したタイミングチャート５５で発光させ、プリンタ１０２に印刷ジョブを送信する。
【００４６】
全ての画像データを受信し終わっていない場合には、ステップＳ３１３に進み、無線装置１０１に設けたＬＥＤ２０４を図５（ｄ）で示したタイミングチャート５４で発光させ、ステップＳ３０６へ戻る。
【００４７】
上記説明では、ＬＥＤ２０４が１個のときのタイミングチャートを図５で示し説明したが、ＬＥＤ２０４が２個以上あるときには、図６で示したタイミングチャートで２個以上のＬＥＤ２０４を交互に発光させることも可能である。
【００４８】
以上説明した実施例では、現在の受信済みデータ量に応じて無線装置に設けたＬＥＤの発光の態様を変化させることにより、使用者に現在の受信状況を報知することができるというものである。
【００４９】
また、上記実施例では、表示手段として発光素子を取り上げたが、音声を発する音源手段であっても図４に示したフローチャートに従い同様の効果を得ることができる。
【００５０】
［第２実施例］
第２実施例では、デジタルカメラ１０３と無線装置１０１との通信モードによって、ＬＥＤ２０４の発光の態様を変化させるというものである。
【００５１】
通信モードとは、例えば無線装置１０１が画像データを受信可能な通常の通信モードＮと、通信が確立出来ているか否かをテストする通信モードＴ、更には新規に通信を確立するために行う通信モードＳ等が考えられる。
【００５２】
図７に、新規に通信を確立するために行う通信モードＳのフローチャートを示す。
【００５３】
図７において、ステップＳ７０２では無線装置１０１をプリンタ１０２に装着し、無線装置１０１の電源をＯＮにし、ステップＳ７０３では無線装置１０１に設けられた新規通信確立用ＳＥＴＵＰボタンが押されたか否かの判定を行う。
【００５４】
新規通信確立用ＳＥＴＵＰボタンが押された場合には、ステップＳ７０４に進み、無線装置１０１に設けたＬＥＤ２０４を図５で示したタイミングチャート５２、若しくは図６で示したタイミングチャート６２で発光させ、ステップＳ７０５へ進む。
【００５５】
新規通信確立用ＳＥＴＵＰボタンが押されていない場合には、ステップＳ７０３の判定を再度所定時間後に行う。
【００５６】
ステップＳ７０５では、新規に通信を確立するためのＳＥＴＵＰ動作を開始し、デジタルカメラ１０３との無線通信の確立を行う。
【００５７】
ステップＳ７０６では、無線通信が確立できたか否かの判定を行い、判定の結果、無線通信が確立できれば、ステップＳ７０７に進み、ＬＥＤ２０４を図５で示したタイミングチャート５１、若しくは図６で示したタイミングチャート６１で発光させ、ステップＳ７０９へ進み、所定時間後にＳＥＴＵＰ動作を終了する。
【００５８】
一方、判定の結果、無線通信が確立できなければ、ステップＳ７０８に進み、ＬＥＤ２０４を図５で示したタイミングチャート５５、若しくは図６で示したタイミングチャート６５で発光させ、ステップＳ７０９へ進み、所定時間後にＳＥＴＵＰ動作を終了する。
【００５９】
次に、通信が確立出来ているか否かをテストする通信モードＴについて図９のフローチャートを用いて説明する。
【００６０】
図９において、ステップＳ９０２では無線装置１０１をプリンタ１０２に装着し、無線装置１０１の電源をＯＮにし、ステップＳ９０３ではデジタルカメラ１０３から通信モードＴの実行命令を受信したか否かの判定を行う。
【００６１】
通信モードＴの実行命令を受信した場合には、ステップＳ９０４に進み、無線装置１０１に設けたＬＥＤ２０４を図５で示したタイミングチャート５２、若しくは図６で示したタイミングチャート６２で発光させ、ステップＳ９０５へ進む。
【００６２】
通信モードＴの実行命令を受信していない場合には、ステップＳ９０３の判定を再度所定時間後に行う。
【００６３】
ステップＳ９０５では通信モードＴを開始し、デジタルカメラ１０３と無線通信が確立出来ているか否かのテストを行う。
【００６４】
ステップＳ９０６では、無線通信が確立出来ていたか否かの判定を行い、判定の結果、無線通信が確立できていれば、ステップＳ９０７に進み、ＬＥＤ２０４を図５で示したタイミングチャート５１、若しくは図６で示したタイミングチャート６１で発光させ、ステップＳ９０９へ進み、所定時間後に通信モードＴを終了する。
【００６５】
一方、判定の結果、無線通信が確立できていなければ、ステップＳ９０８に進み、ＬＥＤ２０４を図５で示したタイミングチャート５５、若しくは図６で示したタイミングチャート６５で発光させ、ステップＳ９０９へ進み、所定時間後に通信モードＴを終了する。
【００６６】
以上説明した実施例では、デジタルカメラ１０３と無線装置１０１との通信モードによって、無線装置に設けたＬＥＤの発光の態様を変化させることにより、使用者に現在の通信モードの動作を報知することができるというものである。
【００６７】
また、上記実施例では、表示手段として発光素子を取り上げたが、音声を発する音源手段であっても図８、図１０に示したフローチャートに従い同様の効果を得ることができる。
【図面の簡単な説明】
【００６８】
【図１】本発明に係る概略構成図
【図２】本発明に係る無線装置の断面図
【図３】本発明の第１実施例に係る表示手段がＬＥＤの場合のフローチャート
【図４】本発明の第１実施例に係る表示手段が音源手段の場合のフローチャート
【図５】本発明の第１実施例に係る発光素子が１個の場合のタイミングチャート
【図６】本発明の第１実施例に係る発光素子が２個の場合のタイミングチャート
【図７】本発明の第２実施例に係る表示手段がＬＥＤの場合の通信モードＳのフローチャート
【図８】本発明の第２実施例に係る音源手段の場合の通信モードＳのフローチャート
【図９】本発明の第２実施例に係る表示手段がＬＥＤの場合の通信モードＴのフローチャート
【図１０】本発明の第２実施例に係る音源手段の場合の通信モードＴのフローチャート
【符号の説明】
【００６９】
１０１  無線装置
１０２  プリンタ
１０３  デジタルカメラ
２０２  アンテナ素子
２０３  アンテナ素子が実装された回路基板
２０４  発光素子
２０５  導光部材
２０６  発光素子が実装された回路基板
２０９  上ケース
２１０  下ケース
２１１  ＵＳＢコネクタ
２１２  ヒンジ
【図１】
2007049611.tif 000003
【図２】
2007049611.tif 000004
【図３】
2007049611.tif 000005
【図４】
2007049611.tif 000006
【図５】
2007049611.tif 000007
【図６】
2007049611.tif 000008
【図７】
2007049611.tif 000009
【図８】
2007049611.tif 000010
【図９】
2007049611.tif 000011
【図１０】
2007049611.tif 000012